(57)【要約】【課題】氷雪上性能と操縦安定性能とをバランスよく向上し得るタイヤを提供する。【解決手段】各ミドル陸部８は、クラウン主溝５からタイヤ軸方向外側にのびかつミドル陸部８内で終端する第１ミドルラグ溝１３Ａと、ショルダー主溝６からタイヤ軸方向内側にのびかつミドル陸部８内で終端する第２ミドルラグ溝１３Ｂとを有する。ミドル陸部８は、さらに、タイヤ周方向において、第１ミドルラグ溝１３Ａと第２ミドルラグ溝１３Ｂとの間に設けられかつクラウン主溝５からショルダー主溝６まで連通する第１ミドルサイプ１４を有する。第１ミドルサイプ１４は、クラウン主溝５からタイヤ軸方向外側にのびるクラウン側ミドルサイプ片１４ａと、ショルダー主溝６からタイヤ軸方向内側にのびるショルダー側ミドルサイプ片１４ｂと、クラウン側ミドルサイプ片１４ａとショルダー側ミドルサイプ片１４ｂとを連結する連結ミドルサイプ片１４ｃとを含む。【選択図】図１
2018090097.tif 000002
【特許請求の範囲】
【請求項１】
トレッド部に、タイヤ周方向に連続してのびる複数の主溝と、前記主溝により区分される複数の陸部とが設けられたタイヤであって、
前記主溝は、一対のクラウン主溝と、前記各クラウン主溝とトレッド端との間に配されるショルダー主溝とを含み、
前記陸部は、前記クラウン主溝と前記ショルダー主溝とにより区分される一対のミドル陸部を含み、
前記各ミドル陸部は、前記クラウン主溝からタイヤ軸方向外側にのびかつ前記ミドル陸部内で終端する第１ミドルラグ溝と、前記ショルダー主溝からタイヤ軸方向内側にのびかつ前記ミドル陸部内で終端する第２ミドルラグ溝とを有し、
前記第１ミドルラグ溝と前記第２ミドルラグ溝とは、タイヤ周方向に交互に設けられ、
前記ミドル陸部は、さらに、タイヤ周方向において、前記第１ミドルラグ溝と前記第２ミドルラグ溝との間に設けられかつ前記クラウン主溝から前記ショルダー主溝まで連通する第１ミドルサイプを有し、
前記第１ミドルサイプは、前記クラウン主溝からタイヤ軸方向外側にのびるクラウン側ミドルサイプ片と、前記クラウン側ミドルサイプ片の延長線上ではない位置で前記ショルダー主溝からタイヤ軸方向内側にのびるショルダー側ミドルサイプ片と、前記クラウン側ミドルサイプ片と前記ショルダー側ミドルサイプ片とを連結する連結ミドルサイプ片とを含むことを特徴とするタイヤ。
【請求項２】
前記連結ミドルサイプ片は、タイヤ周方向にのびている請求項１に記載のタイヤ。
【請求項３】
前記連結ミドルサイプ片は、前記クラウン側ミドルサイプ片及び前記ショルダー側ミドルサイプ片よりも小さい深さを有する請求項１又は２に記載のタイヤ。
【請求項４】
前記ミドル陸部は、さらに、前記第１ミドルラグ溝と前記ショルダー主溝とを連通する第２ミドルサイプと、前記第２ミドルラグ溝と前記クラウン主溝とを連通する第３ミドルサイプとを有する請求項１乃至３のいずれかに記載のタイヤ。
【請求項５】
前記ミドル陸部は、さらに、前記クラウン主溝からタイヤ軸方向外側にのびかつ前記ミドル陸部内で終端する第４ミドルサイプと、前記ショルダー主溝からタイヤ軸方向内側にのびかつ前記ミドル陸部内で終端する第５ミドルサイプとを有し、
タイヤ周方向において、前記第４ミドルサイプは、前記クラウン側ミドルサイプ片の前記ショルダー側ミドルサイプ片側に位置するとともに、前記第５ミドルサイプは、前記ショルダー側ミドルサイプ片の前記クラウン側ミドルサイプ片側に位置する請求項１乃至４のいずれかに記載のタイヤ。
【請求項６】
前記ミドル陸部には、さらに、前記第１ミドルラグ溝と前記クラウン側ミドルサイプ片との間の陸部縁に第１面取部が形成され、前記第２ミドルラグ溝と前記ショルダー側ミドルサイプ片との間の陸部縁に第２面取部が形成されている請求項１乃至５のいずれかに記載のタイヤ。
【請求項７】
前記陸部は、さらに、前記ショルダー主溝と前記トレッド端とにより区分される一対のショルダー陸部を含み、
前記各ショルダー陸部は、前記ショルダー主溝から前記トレッド端まで連通する複数のショルダー横溝を有し、
前記ショルダー横溝のタイヤ周方向ピッチは、前記第１ミドルラグ溝と前記第２ミドルラグ溝との間のタイヤ周方向ピッチに略等しい請求項１乃至６のいずれかに記載のタイヤ。
【請求項８】
前記ショルダー陸部は、さらに、タイヤ周方向で隣接する前記ショルダー横溝の間に第１ショルダーサイプと第２ショルダーサイプとを有し、
前記第１ショルダーサイプ及び前記第２ショルダーサイプは、それぞれ、前記ショルダー主溝からタイヤ軸方向外側にのびかつ前記ショルダー陸部内で終端している請求項７に記載のタイヤ。
【請求項９】
前記ショルダー陸部は、さらに、前記第１ショルダーサイプと前記第２ショルダーサイプとをタイヤ周方向に連通する第３ショルダーサイプを有する請求項８に記載のタイヤ。
【請求項１０】
前記第３ショルダーサイプは、前記第１ショルダーサイプ及び前記第２ショルダーサイプよりも小さい深さを有する請求項９に記載のタイヤ。
【請求項１１】
前記ショルダー陸部は、さらに、前記第１ショルダーサイプと前記第２ショルダーサイプとの間の陸部縁に第３面取部が形成されている請求項８乃至１０のいずれかに記載のタイヤ。
【発明の詳細な説明】
【技術分野】
【０００１】
本発明は、氷雪上性能と操縦安定性能とをバランスよく向上し得るタイヤに関する。
【背景技術】
【０００２】
従来より、氷雪上性能を向上させるために、多数のサイプを有するタイヤが知られている。近年、このような氷雪上性能に優れたタイヤにおいても、ドライ路面における高い操縦安定性能が求められている。
【０００３】
例えば、下記特許文献１は、タイヤ周方向にのびる主溝の縁部をジグザグ状にするとともに、多数のサイプを有することにより、氷雪上性能と操縦安定性能とを両立させるタイヤを提案している。
【先行技術文献】
【特許文献】
【０００４】
【特許文献１】特開２０１０−２８５０３５号公報
【発明の概要】
【発明が解決しようとする課題】
【０００５】
しかしながら、上記特許文献１のタイヤは、ミドル陸部の剛性が小さいため、ドライ路面における高い操縦安定性能を発揮することができなかった。このため、特許文献１のタイヤは、氷雪上性能と操縦安定性能との両立するために、さらなる改善が求められていた。
【０００６】
本発明は、以上のような実状に鑑み案出されたもので、ミドル陸部の溝及びサイプを改善することを基本として、氷雪上性能と操縦安定性能とをバランスよく向上し得るタイヤを提供することを主たる目的としている。
【課題を解決するための手段】
【０００７】
本発明は、トレッド部に、タイヤ周方向に連続してのびる複数の主溝と、前記主溝により区分される複数の陸部とが設けられたタイヤであって、前記主溝は、一対のクラウン主溝と、前記各クラウン主溝とトレッド端との間に配されるショルダー主溝とを含み、前記陸部は、前記クラウン主溝と前記ショルダー主溝とにより区分される一対のミドル陸部を含み、前記各ミドル陸部は、前記クラウン主溝からタイヤ軸方向外側にのびかつ前記ミドル陸部内で終端する第１ミドルラグ溝と、前記ショルダー主溝からタイヤ軸方向内側にのびかつ前記ミドル陸部内で終端する第２ミドルラグ溝とを有し、前記第１ミドルラグ溝と前記第２ミドルラグ溝とは、タイヤ周方向に交互に設けられ、前記ミドル陸部は、さらに、タイヤ周方向において、前記第１ミドルラグ溝と前記第２ミドルラグ溝との間に設けられかつ前記クラウン主溝から前記ショルダー主溝まで連通する第１ミドルサイプを有し、前記第１ミドルサイプは、前記クラウン主溝からタイヤ軸方向外側にのびるクラウン側ミドルサイプ片と、前記クラウン側ミドルサイプ片の延長線上ではない位置で前記ショルダー主溝からタイヤ軸方向内側にのびるショルダー側ミドルサイプ片と、前記クラウン側ミドルサイプ片と前記ショルダー側ミドルサイプ片とを連結する連結ミドルサイプ片とを含むことを特徴とする。
【０００８】
本発明に係るタイヤにおいて、前記連結ミドルサイプ片は、タイヤ周方向にのびているのが望ましい。
【０００９】
本発明に係るタイヤにおいて、前記連結ミドルサイプ片は、前記クラウン側ミドルサイプ片及び前記ショルダー側ミドルサイプ片よりも小さい深さを有するのが望ましい。
【００１０】
本発明に係るタイヤにおいて、前記ミドル陸部は、さらに、前記第１ミドルラグ溝と前記ショルダー主溝とを連通する第２ミドルサイプと、前記第２ミドルラグ溝と前記クラウン主溝とを連通する第３ミドルサイプとを有するのが望ましい。
【００１１】
本発明に係るタイヤにおいて、前記ミドル陸部は、さらに、前記クラウン主溝からタイヤ軸方向外側にのびかつ前記ミドル陸部内で終端する第４ミドルサイプと、前記ショルダー主溝からタイヤ軸方向内側にのびかつ前記ミドル陸部内で終端する第５ミドルサイプとを有し、タイヤ周方向において、前記第４ミドルサイプは、前記クラウン側ミドルサイプ片の前記ショルダー側ミドルサイプ片側に位置するとともに、前記第５ミドルサイプは、前記ショルダー側ミドルサイプ片の前記クラウン側ミドルサイプ片側に位置するのが望ましい。
【００１２】
本発明に係るタイヤにおいて、前記ミドル陸部には、さらに、前記第１ミドルラグ溝と前記クラウン側ミドルサイプ片との間の陸部縁に第１面取部が形成され、前記第２ミドルラグ溝と前記ショルダー側ミドルサイプ片との間の陸部縁に第２面取部が形成されているのが望ましい。
【００１３】
本発明に係るタイヤにおいて、前記陸部は、さらに、前記ショルダー主溝と前記トレッド端とにより区分される一対のショルダー陸部を含み、前記各ショルダー陸部は、前記ショルダー主溝から前記トレッド端まで連通する複数のショルダー横溝を有し、前記ショルダー横溝のタイヤ周方向ピッチは、前記第１ミドルラグ溝と前記第２ミドルラグ溝との間のタイヤ周方向ピッチに略等しいのが望ましい。
【００１４】
本発明に係るタイヤにおいて、前記ショルダー陸部は、さらに、タイヤ周方向で隣接する前記ショルダー横溝の間に第１ショルダーサイプと第２ショルダーサイプとを有し、前記第１ショルダーサイプ及び前記第２ショルダーサイプは、それぞれ、前記ショルダー主溝からタイヤ軸方向外側にのびかつ前記ショルダー陸部内で終端しているのが望ましい。
【００１５】
本発明に係るタイヤにおいて、前記ショルダー陸部は、さらに、前記第１ショルダーサイプと前記第２ショルダーサイプとをタイヤ周方向に連通する第３ショルダーサイプを有するのが望ましい。
【００１６】
本発明に係るタイヤにおいて、前記第３ショルダーサイプは、前記第１ショルダーサイプ及び前記第２ショルダーサイプよりも小さい深さを有するのが望ましい。
【００１７】
本発明に係るタイヤにおいて、前記ショルダー陸部は、さらに、前記第１ショルダーサイプと前記第２ショルダーサイプとの間の陸部縁に第３面取部が形成されているのが望ましい。
【発明の効果】
【００１８】
本発明のタイヤにおいて、各ミドル陸部には、クラウン主溝からタイヤ軸方向外側にのびかつミドル陸部内で終端する第１ミドルラグ溝と、ショルダー主溝からタイヤ軸方向内側にのびかつミドル陸部内で終端する第２ミドルラグ溝とが、タイヤ周方向に交互に設けられている。
【００１９】
このような第１ミドルラグ溝及び第２ミドルラグ溝は、ミドル陸部の剛性低下を抑制し、タイヤのドライ路面における優れた操縦安定性能を発揮させることができる。また、ミドル陸部は、第１ミドルラグ溝及び第２ミドルラグ溝により、高い雪柱せん断力が得られ、タイヤの氷雪上性能を向上させ得る。
【００２０】
本発明のタイヤにおいて、ミドル陸部は、タイヤ周方向において、第１ミドルラグ溝と第２ミドルラグ溝との間に設けられかつクラウン主溝からショルダー主溝まで連通する第１ミドルサイプを有している。
【００２１】
このような第１ミドルサイプは、ミドル陸部の剛性低下を抑制し、タイヤの優れた操縦安定性能を発揮させ得る。また、第１ミドルサイプは、そのエッジ効果により、タイヤの氷雪上性能を向上させ得る。
【００２２】
本発明のタイヤにおいて、第１ミドルサイプは、クラウン主溝からタイヤ軸方向外側にのびるクラウン側ミドルサイプ片と、クラウン側ミドルサイプ片の延長線上ではない位置でショルダー主溝からタイヤ軸方向内側にのびるショルダー側ミドルサイプ片と、クラウン側ミドルサイプ片とショルダー側ミドルサイプ片とを連結する連結ミドルサイプ片とを含んでいる。
【００２３】
このような第１ミドルサイプは、タイヤ周方向及びタイヤ軸方向の両方にエッジ効果を発揮できるので、タイヤの前後方向及び左右方向の氷雪上性能が向上し得る。
【図面の簡単な説明】
【００２４】
【図１】本発明のタイヤのトレッド部の一実施形態を示す展開図である。
【図２】図１のＡ−Ａ線段面図である。
【図３】クラウン陸部の部分拡大図である。
【図４】図１のＢ−Ｂ線段面図である。
【図５】ミドル陸部の部分拡大図である。
【図６】ショルダー陸部の部分拡大図である。
【発明を実施するための形態】
【００２５】
以下、本発明の実施の一形態が図面に基づき説明される。
図１は、本実施形態のタイヤ１のトレッド部２の展開図である。図１に示されるように、本実施形態のタイヤ１のトレッド部２には、タイヤ周方向に連続してのびる複数の主溝３と、主溝３により区分される複数の陸部４とが設けられている。
【００２６】
本実施形態の主溝３は、一対のクラウン主溝５と、各クラウン主溝５とトレッド端Ｔｅとの間に配されるショルダー主溝６とを含んでいる。クラウン主溝５は、タイヤ赤道Ｃの両側に１本ずつ配されるのが望ましい。
【００２７】
ここで、前記「トレッド端」Ｔｅは、正規状態のタイヤ１に、正規荷重を負荷してキャンバー角０度で平面に接地させたときの接地面のタイヤ軸方向最外端である。このトレッド端Ｔｅ間のタイヤ軸方向の距離がトレッド接地幅ＴＷとして定められる。
【００２８】
前記「正規状態」とは、タイヤ１が、正規リム（図示省略）にリム組みされかつ正規内圧が充填された無負荷の状態である。本明細書において、特に断りがない場合、タイヤ１の各部の寸法は、正規状態での値である。また、各溝の溝幅は、特に断りがない場合、その長手方向に直交する向きで測定される。
【００２９】
前記「正規リム」とは、タイヤ１が基づいている規格を含む規格体系において、当該規格がタイヤ毎に定めるリムであり、例えばＪＡＴＭＡであれば "標準リム" 、ＴＲＡであれば "Design Rim" 、ＥＴＲＴＯであれば "Measuring Rim" とする。
【００３０】
前記「正規内圧」とは、タイヤ１が基づいている規格を含む規格体系において、各規格がタイヤ毎に定めている空気圧であり、ＪＡＴＭＡであれば "最高空気圧" 、ＴＲＡであれば表 "TIRE LOAD LIMITS AT VARIOUS COLD INFLATION PRESSURES"に記載の最大値、ＥＴＲＴＯであれば "INFLATION PRESSURE" とする。
【００３１】
前記「正規荷重」とは、タイヤ１が基づいている規格を含む規格体系において、各規格がタイヤ毎に定めている荷重であり、ＪＡＴＭＡであれば "最大負荷能力" 、ＴＲＡであれば表 "TIRE LOAD LIMITS AT VARIOUS COLD INFLATION PRESSURES"に記載の最大値、ＥＴＲＴＯであれば "LOAD CAPACITY" である。
【００３２】
クラウン主溝５は、略一定の溝幅Ｗ１を有し、直線状にのびるのが望ましい。クラウン主溝５の溝幅Ｗ１は、好ましくは、トレッド接地幅ＴＷの４％〜６％である。
【００３３】
ショルダー主溝６は、略一定の溝幅Ｗ２を有し、直線状にのびるのが望ましい。ショルダー主溝６の溝幅Ｗ２は、好ましくは、トレッド接地幅ＴＷの５％〜７％である。ショルダー主溝６の溝幅Ｗ２は、クラウン主溝５の溝幅Ｗ１よりも大きいのが望ましい。
【００３４】
図２は、図１のＡ−Ａ線断面図である。図２に示されるように、クラウン主溝５の溝深さＤ１は、ショルダー主溝６の溝深さＤ２に略等しいか、溝深さＤ２より大きいのが望ましい。
【００３５】
図１に示されるように、本実施形態の陸部４は、一対のクラウン主溝５の間に区分されるクラウン陸部７と、クラウン主溝５とショルダー主溝６とにより区分される一対のミドル陸部８と、ショルダー主溝６とトレッド端Ｔｅとにより区分される一対のショルダー陸部９とを含んでいる。
【００３６】
クラウン陸部７は、タイヤ赤道Ｃ上に配されるのが望ましい。クラウン陸部７のタイヤ軸方向の幅Ｗ３は、好ましくは、トレッド接地幅ＴＷの１０％〜１５％である。
【００３７】
図３は、クラウン陸部７の部分拡大図である。図３に示されるように、本実施形態のクラウン陸部７は、一方のクラウン主溝５Ａからタイヤ軸方向内側にのびる複数の第１クラウンラグ溝１０Ａと、他方のクラウン主溝５Ｂからタイヤ軸方向内側にのびる複数の第２クラウンラグ溝１０Ｂとを有している。このようなクラウン陸部７は、第１クラウンラグ溝１０Ａ及び第２クラウンラグ溝１０Ｂにより、高い雪柱せん断力が得られ、タイヤ１の氷雪上性能を向上させ得る。
【００３８】
第１クラウンラグ溝１０Ａ及び第２クラウンラグ溝１０Ｂは、それぞれ、クラウン陸部７内で終端するのが望ましい。このような第１クラウンラグ溝１０Ａ及び第２クラウンラグ溝１０Ｂは、クラウン陸部７の剛性低下を抑制し、タイヤ１のドライ路面における優れた操縦安定性能を発揮させることができる。
【００３９】
第１クラウンラグ溝１０Ａのタイヤ軸方向長さＬ１は、好ましくは、クラウン陸部７の幅Ｗ３の２０％〜４５％である。第２クラウンラグ溝１０Ｂのタイヤ軸方向長さＬ２は、好ましくは、クラウン陸部７の幅Ｗ３の２０％〜４５％である。第１クラウンラグ溝１０Ａのタイヤ軸方向長さＬ１と第２クラウンラグ溝１０Ｂのタイヤ軸方向長さＬ２とは、互いに略等しいのが望ましい。
【００４０】
本実施形態の第１クラウンラグ溝１０Ａ及び第２クラウンラグ溝１０Ｂは、それぞれ、円弧状にのびている。第１クラウンラグ溝１０Ａと第２クラウンラグ溝１０Ｂとは、互いに異なる向きに凸となる円弧を有しているのが望ましい。このような第１クラウンラグ溝１０Ａ及び第２クラウンラグ溝１０Ｂは、クラウン陸部７の局所的な剛性低下を抑制することができる。
【００４１】
第１クラウンラグ溝１０Ａの溝中心線の曲率半径Ｒ１は、好ましくは、１０〜３０mmである。第２クラウンラグ溝１０Ｂの溝中心線の曲率半径Ｒ２は、好ましくは、１０〜３０mmである。第１クラウンラグ溝１０Ａの曲率半径Ｒ１と第２クラウンラグ溝１０Ｂの曲率半径Ｒ２とは、互いに略等しいのが望ましい。
【００４２】
本実施形態の第１クラウンラグ溝１０Ａ及び第２クラウンラグ溝１０Ｂは、互いに同じ向きに傾斜している。このような第１クラウンラグ溝１０Ａ及び第２クラウンラグ溝１０Ｂは、クラウン陸部７に作用する力を効率よく分散することができる。
【００４３】
第１クラウンラグ溝１０Ａとクラウン主溝５との連通部１０ａにおける第１クラウンラグ溝１０Ａのタイヤ周方向に対する角度θ１は、好ましくは、４０〜８０°である。第２クラウンラグ溝１０Ｂとクラウン主溝５との連通部１０ｂにおける第２クラウンラグ溝１０Ｂのタイヤ周方向に対する角度θ２は、好ましくは、４０〜８０°である。第１クラウンラグ溝１０Ａの角度θ１と第２クラウンラグ溝１０Ｂの角度θ２とは、互いに略等しいのが望ましい。
【００４４】
図２に示されるように、本実施形態の第１クラウンラグ溝１０Ａと第２クラウンラグ溝１０Ｂとは、略等しい溝深さＤ３，Ｄ４を有している。第１クラウンラグ溝１０Ａの溝深さＤ３及び第２クラウンラグ溝１０Ｂの溝深さＤ４は、それぞれ、クラウン主溝５の溝深さＤ１より小さいのが望ましい。このような第１クラウンラグ溝１０Ａ及び第２クラウンラグ溝１０Ｂは、クラウン陸部７の剛性低下を抑制するとともに、高い雪柱せん断力が得られる。
【００４５】
図３に示されるように、本実施形態のクラウン陸部７は、さらに、一対のクラウン主溝５を連通する第１クラウンサイプ１１を有している。第１クラウンサイプ１１は、第１クラウンラグ溝１０Ａ及び第２クラウンラグ溝１０Ｂとは異なるタイヤ周方向位置に配されるのが望ましい。このような第１クラウンサイプ１１は、クラウン陸部７の剛性低下を抑制し、タイヤ１の優れた操縦安定性能を発揮させ得る。また、第１クラウンサイプ１１は、タイヤ周方向及びタイヤ軸方向の両方にエッジ効果を発揮できるので、タイヤ１の前後方向と左右方向の氷雪上性能が向上し得る。
【００４６】
本実施形態の第１クラウンサイプ１１は、一方のクラウン主溝５Ａからタイヤ軸方向内側にのびる一方側クラウンサイプ片１１ａと、他方のクラウン主溝５Ｂからタイヤ軸方向内側にのびる他方側クラウンサイプ片１１ｂとを含んでいる。第１クラウンサイプ１１は、さらに、一方側クラウンサイプ片１１ａと他方側クラウンサイプ片１１ｂとを連結する連結クラウンサイプ片１１ｃを含んでいる。
【００４７】
本実施形態の他方側クラウンサイプ片１１ｂは、一方側クラウンサイプ片１１ａの延長線上ではない位置に配されている。一方側クラウンサイプ片１１ａ及び他方側クラウンサイプ片１１ｂは、それぞれ、クラウン陸部７内で終端するのが望ましい。このような一方側クラウンサイプ片１１ａ及び他方側クラウンサイプ片１１ｂは、第１クラウンサイプ１１内に変曲点を有することで、クラウン陸部７に作用する力を効率よく分散することができる。
【００４８】
一方側クラウンサイプ片１１ａのタイヤ軸方向長さＬ３は、好ましくは、クラウン陸部７の幅Ｗ３の３０％〜４５％である。他方側クラウンサイプ片１１ｂのタイヤ軸方向長さＬ４は、好ましくは、クラウン陸部７の幅Ｗ３の３０％〜４５％である。一方側クラウンサイプ片１１ａのタイヤ軸方向長さＬ３と他方側クラウンサイプ片１１ｂのタイヤ軸方向長さＬ４とは、互いに略等しいのが望ましい。
【００４９】
本実施形態の一方側クラウンサイプ片１１ａ及び他方側クラウンサイプ片１１ｂは、それぞれ、円弧状にのびている。このような一方側クラウンサイプ片１１ａ及び他方側クラウンサイプ片１１ｂは、クラウン陸部７の局所的な剛性低下を抑制することができる。
【００５０】
一方側クラウンサイプ片１１ａと他方側クラウンサイプ片１１ｂとは、互いに異なる向きに凸となる円弧を有しているのが望ましい。また、一方側クラウンサイプ片１１ａと第１クラウンラグ溝１０Ａとは、互いに同じ向きに凸となる円弧を有しているのが望ましい。さらに、他方側クラウンサイプ片１１ｂと第２クラウンラグ溝１０Ｂとは、互いに同じ向きに凸となる円弧を有しているのが望ましい。
【００５１】
一方側クラウンサイプ片１１ａの曲率半径Ｒ３は、好ましくは、１０〜３０mmである。他方側クラウンサイプ片１１ｂの曲率半径Ｒ４は、好ましくは、１０〜３０mmである。一方側クラウンサイプ片１１ａの曲率半径Ｒ３と他方側クラウンサイプ片１１ｂの曲率半径Ｒ４とは、互いに略等しいのが望ましい。
【００５２】
本実施形態の一方側クラウンサイプ片１１ａ及び他方側クラウンサイプ片１１ｂは、互いに同じ向きに傾斜している。一方側クラウンサイプ片１１ａ及び他方側クラウンサイプ片１１ｂは、第１クラウンラグ溝１０Ａ及び第２クラウンラグ溝１０Ｂと同じ向きに傾斜しているのが望ましい。このような一方側クラウンサイプ片１１ａ及び他方側クラウンサイプ片１１ｂは、クラウン陸部７に作用する力を効率よく分散することができる。
【００５３】
一方側クラウンサイプ片１１ａとクラウン主溝５との連通部１１ｄにおける一方側クラウンサイプ片１１ａのタイヤ周方向に対する角度θ３は、好ましくは、３０〜６０°である。他方側クラウンサイプ片１１ｂとクラウン主溝５との連通部１１ｅにおける他方側クラウンサイプ片１１ｂのタイヤ周方向に対する角度θ４は、好ましくは、３０〜６０°である。一方側クラウンサイプ片１１ａの角度θ３と他方側クラウンサイプ片１１ｂの角度θ４とは、互いに略等しいのが望ましい。
【００５４】
図４は、図１のＢ−Ｂ線断面図である。図４に示されるように、本実施形態の一方側クラウンサイプ片１１ａは、クラウン主溝５側の深さＤ５がタイヤ赤道Ｃ側の深さＤ６よりも小さい２段構造を有している。本実施形態の他方側クラウンサイプ片１１ｂも、同様の２段構造を有している。このような一方側クラウンサイプ片１１ａ及び他方側クラウンサイプ片１１ｂは、それぞれの底部に変曲点を有することで、クラウン陸部７に作用する力を効率よく分散することができる。
【００５５】
図３に示されるように、連結クラウンサイプ片１１ｃは、一方側クラウンサイプ片１１ａのクラウン陸部７内の終端点１１ｆと他方側クラウンサイプ片１１ｂのクラウン陸部７内の終端点１１ｇとを連結するのが望ましい。本実施形態の連結クラウンサイプ片１１ｃは、直線状にのびている。連結クラウンサイプ片１１ｃは、例えば、タイヤ赤道Ｃを横切るように配されている。
【００５６】
本実施形態の連結クラウンサイプ片１１ｃは、一方側クラウンサイプ片１１ａ及び他方側クラウンサイプ片１１ｂとは逆向きに傾斜している。このような連結クラウンサイプ片１１ｃは、一方側クラウンサイプ片１１ａ及び他方側クラウンサイプ片１１ｂとは異なる向きのエッジ効果を発揮することができる。
【００５７】
連結クラウンサイプ片１１ｃと一方側クラウンサイプ片１１ａとの角度θ１０及び連結クラウンサイプ片１１ｃと他方側クラウンサイプ片１１ｂとの角度θ１１は、それぞれ、９０〜１５０°であるのが好ましい。
【００５８】
図４に示されるように、本実施形態の連結クラウンサイプ片１１ｃの深さＤ７は、一方側クラウンサイプ片１１ａのクラウン主溝５側の深さＤ５より小さい。すなわち、連結クラウンサイプ片１１ｃは、一方側クラウンサイプ片１１ａ及び他方側クラウンサイプ片１１ｂよりも小さい深さＤ７を有している。このような連結クラウンサイプ片１１ｃは、クラウン陸部７の剛性低下を抑制し、タイヤ１の操縦安定性能を向上させるとともに、そのエッジ効果により、タイヤ１の氷雪上性能を向上させ得る。
【００５９】
図３に示されるように、本実施形態のクラウン陸部７は、さらに、一方のクラウン主溝５Ａからタイヤ軸方向内側にのびる第２クラウンサイプ１２Ａと、他方のクラウン主溝５Ｂからタイヤ軸方向内側にのびる第３クラウンサイプ１２Ｂとを有している。
【００６０】
第２クラウンサイプ１２Ａ及び第３クラウンサイプ１２Ｂは、それぞれ、クラウン陸部７内で終端するのが望ましい。また、第２クラウンサイプ１２Ａ及び第３クラウンサイプ１２Ｂは、それぞれ、円弧状にのびており、一方側クラウンサイプ片１１ａ及び他方側クラウンサイプ片１１ｂと同じ向きに傾斜しているのが望ましい。
【００６１】
本実施形態の第２クラウンサイプ１２Ａと一方側クラウンサイプ片１１ａとは、そのタイヤ軸方向長さ、曲率半径、円弧の向き及びタイヤ周方向に対する傾斜角度が略等しい。同様に、第３クラウンサイプ１２Ｂと他方側クラウンサイプ片１１ｂとは、そのタイヤ軸方向長さ、曲率半径、円弧の向き及びタイヤ周方向に対する傾斜角度が略等しい。一方、図示は省略されるが、第２クラウンサイプ１２Ａ及び第３クラウンサイプ１２Ｂの深さは、略一定の深さを有しているのが望ましい。
【００６２】
タイヤ周方向において、本実施形態の第２クラウンサイプ１２Ａは、一方側クラウンサイプ片１１ａの他方側クラウンサイプ片１１ｂ側に位置している。同様に、本実施形態の第３クラウンサイプ１２Ｂは、他方側クラウンサイプ片１１ｂの一方側クラウンサイプ片１１ａ側に位置している。このような第２クラウンサイプ１２Ａ及び第３クラウンサイプ１２Ｂは、クラウン陸部７の剛性低下を抑制しつつ、そのエッジ効果を発揮させることができる。
【００６３】
図１に示されるように、一対のミドル陸部８は、各クラウン陸部７のタイヤ軸方向外側に配されるのが望ましい。ミドル陸部８のタイヤ軸方向の幅Ｗ４は、好ましくは、トレッド接地幅ＴＷの１１％〜１６％である。ミドル陸部８の幅Ｗ４は、クラウン陸部７の幅Ｗ３よりも大きいのが望ましい。
【００６４】
本実施形態の各ミドル陸部８は、クラウン主溝５からタイヤ軸方向外側にのびる複数の第１ミドルラグ溝１３Ａと、ショルダー主溝６からタイヤ軸方向内側にのびる複数の第２ミドルラグ溝１３Ｂとを有している。このようなミドル陸部８は、第１ミドルラグ溝１３Ａ及び第２ミドルラグ溝１３Ｂにより、高い雪柱せん断力が得られ、タイヤ１の氷雪上性能を向上させ得る。
【００６５】
第１ミドルラグ溝１３Ａと第２ミドルラグ溝１３Ｂとは、タイヤ周方向に交互に設けられるのが望ましい。このため、第１ミドルラグ溝１３Ａのタイヤ周方向ピッチＰ２は、第１クラウンラグ溝１０Ａ又は第２クラウンラグ溝１０Ｂのタイヤ周方向ピッチＰ１の２倍である。同様に、第２ミドルラグ溝１３Ｂのタイヤ周方向ピッチＰ３は、第１クラウンラグ溝１０Ａ又は第２クラウンラグ溝１０Ｂのタイヤ周方向ピッチＰ１の２倍である。
【００６６】
第１ミドルラグ溝１３Ａは、クラウン主溝５を介して、第１クラウンラグ溝１０Ａ又は第２クラウンラグ溝１０Ｂと対向しているのが望ましい。このような第１ミドルラグ溝１３Ａは、第１クラウンラグ溝１０Ａ又は第２クラウンラグ溝１０Ｂと協調して、より高い雪柱せん断力が得られる。
【００６７】
第１ミドルラグ溝１３Ａ及び第２ミドルラグ溝１３Ｂは、それぞれ、ミドル陸部８内で終端するのが望ましい。このような第１ミドルラグ溝１３Ａ及び第２ミドルラグ溝１３Ｂは、ミドル陸部８の剛性低下を抑制し、タイヤ１のドライ路面における優れた操縦安定性能を発揮させることができる。
【００６８】
図５は、ミドル陸部８の部分拡大図である。図５に示されるように、第１ミドルラグ溝１３Ａのタイヤ軸方向長さＬ５は、好ましくは、ミドル陸部８の幅Ｗ４の３０％〜７０％である。第２ミドルラグ溝１３Ｂのタイヤ軸方向長さＬ６は、好ましくは、ミドル陸部８の幅Ｗ４の３０％〜７０％である。
【００６９】
本実施形態の第１ミドルラグ溝１３Ａ及び第２ミドルラグ溝１３Ｂは、それぞれ、円弧状にのびている。このような第１ミドルラグ溝１３Ａ及び第２ミドルラグ溝１３Ｂは、ミドル陸部８の局所的な剛性低下を抑制することができる。
【００７０】
図１に示されるように、各ミドル陸部８において、第１ミドルラグ溝１３Ａと第２ミドルラグ溝１３Ｂとは、互いに同じ向きに凸となる円弧を有しているのが望ましい。一方、タイヤ赤道Ｃの一方側のミドル陸部８Ａの第１ミドルラグ溝１３Ａ及び第２ミドルラグ溝１３Ｂと、他方側のミドル陸部８Ｂの第１ミドルラグ溝１３Ａ及び第２ミドルラグ溝１３Ｂとは、互いに異なる向きに凸となる円弧を有しているのが望ましい。
【００７１】
また、一方側のミドル陸部８Ａの第１ミドルラグ溝１３Ａ及び第２ミドルラグ溝１３Ｂと第１クラウンラグ溝１０Ａとは、互いに同じ向きに凸となる円弧を有しているのが望ましい。さらに、他方側のミドル陸部８Ｂの第１ミドルラグ溝１３Ａ及び第２ミドルラグ溝１３Ｂと第２クラウンラグ溝１０Ｂとは、互いに同じ向きに凸となる円弧を有しているのが望ましい。
【００７２】
図５に示されるように、第１ミドルラグ溝１３Ａの曲率半径Ｒ５は、好ましくは、８０〜１１０mmである。第２ミドルラグ溝１３Ｂの曲率半径Ｒ６は、好ましくは、８０〜１１０mmである。第１ミドルラグ溝１３Ａの曲率半径Ｒ５と第２ミドルラグ溝１３Ｂの曲率半径Ｒ６とは、略等しいのが望ましい。
【００７３】
図１に示されるように、本実施形態の第１ミドルラグ溝１３Ａ及び第２ミドルラグ溝１３Ｂは、第１クラウンラグ溝１０Ａ及び第２クラウンラグ溝１０Ｂとは逆向きに傾斜している。このような第１ミドルラグ溝１３Ａ及び第２ミドルラグ溝１３Ｂは、第１クラウンラグ溝１０Ａ及び第２クラウンラグ溝１０Ｂと協調して、トレッド部２に作用する力をより効率よく分散することができる。
【００７４】
図５に示されるように、第１ミドルラグ溝１３Ａとクラウン主溝５との連通部１３ａにおける第１ミドルラグ溝１３Ａのタイヤ周方向に対する角度θ５は、好ましくは、４０〜７０°である。第２ミドルラグ溝１３Ｂとショルダー主溝６との連通部１３ｂにおける第２ミドルラグ溝１３Ｂのタイヤ周方向に対する角度θ６は、好ましくは、３０〜６０°である。
【００７５】
図２に示されるように、本実施形態の第１ミドルラグ溝１３Ａと第２ミドルラグ溝１３Ｂとは、略等しい溝深さＤ８，Ｄ９を有している。第１ミドルラグ溝１３Ａの溝深さＤ８及び第２ミドルラグ溝１３Ｂの溝深さＤ９は、第１クラウンラグ溝１０Ａの溝深さＤ３及び第２クラウンラグ溝１０Ｂの溝深さＤ４に略等しいのが望ましい。このような第１ミドルラグ溝１３Ａと第２ミドルラグ溝１３Ｂは、ミドル陸部８の剛性低下を抑制するとともに、高い雪柱せん断力が得られる。
【００７６】
図５に示されるように、本実施形態のミドル陸部８は、さらに、クラウン主溝５からショルダー主溝６まで連通する第１ミドルサイプ１４を有している。第１ミドルサイプ１４は、タイヤ周方向において、第１ミドルラグ溝１３Ａと第２ミドルラグ溝１３Ｂとの間に設けられるのが望ましい。このような第１ミドルサイプ１４は、ミドル陸部８の剛性低下を抑制し、タイヤ１の優れた操縦安定性能を発揮させ得る。また、第１ミドルサイプ１４は、そのエッジ効果により、タイヤ１の氷雪上性能を向上させ得る。
【００７７】
本実施形態の第１ミドルサイプ１４は、クラウン主溝５からタイヤ軸方向外側にのびるクラウン側ミドルサイプ片１４ａと、ショルダー主溝６からタイヤ軸方向内側にのびるショルダー側ミドルサイプ片１４ｂとを含んでいる。第１ミドルサイプ１４は、さらに、クラウン側ミドルサイプ片１４ａとショルダー側ミドルサイプ片１４ｂとを連結する連結ミドルサイプ片１４ｃを含んでいる。
【００７８】
本実施形態のショルダー側ミドルサイプ片１４ｂは、クラウン側ミドルサイプ片１４ａの延長線上ではない位置に配されている。クラウン側ミドルサイプ片１４ａ及びショルダー側ミドルサイプ片１４ｂは、それぞれ、ミドル陸部８内で終端するのが望ましい。このようなクラウン側ミドルサイプ片１４ａ及びショルダー側ミドルサイプ片１４ｂは、第１ミドルサイプ１４内に変曲点を有することで、ミドル陸部８に作用する力を効率よく分散することができる。
【００７９】
本実施形態のクラウン側ミドルサイプ片１４ａ及びショルダー側ミドルサイプ片１４ｂは、それぞれ、円弧状にのびている。このようなクラウン側ミドルサイプ片１４ａ及びショルダー側ミドルサイプ片１４ｂは、ミドル陸部８の局所的な剛性低下を抑制することができる。
【００８０】
各ミドル陸部８において、クラウン側ミドルサイプ片１４ａとショルダー側ミドルサイプ片１４ｂとは、互いに同じ向きに凸となる円弧を有しているのが望ましい。また、クラウン側ミドルサイプ片１４ａ及びショルダー側ミドルサイプ片１４ｂと、第１ミドルラグ溝１３Ａ及び第２ミドルラグ溝１３Ｂとは、互いに同じ向きに凸となる円弧を有しているのが望ましい。
【００８１】
クラウン側ミドルサイプ片１４ａの曲率半径Ｒ７は、好ましくは、３０〜５０mmである。ショルダー側ミドルサイプ片１４ｂの曲率半径Ｒ８は、好ましくは、５０〜８０mmである。
【００８２】
本実施形態のクラウン側ミドルサイプ片１４ａ及びショルダー側ミドルサイプ片１４ｂは、互いに同じ向きに傾斜している。クラウン側ミドルサイプ片１４ａ及びショルダー側ミドルサイプ片１４ｂは、第１ミドルラグ溝１３Ａ及び第２ミドルラグ溝１３Ｂと同じ向きに傾斜しているのが望ましい。このようなクラウン側ミドルサイプ片１４ａ及びショルダー側ミドルサイプ片１４ｂは、ミドル陸部８に作用する力を効率よく分散することができる。
【００８３】
クラウン側ミドルサイプ片１４ａとクラウン主溝５との連通部１４ｄにおけるクラウン側ミドルサイプ片１４ａのタイヤ周方向に対する角度θ７は、好ましくは、４０〜７０°である。ショルダー側ミドルサイプ片１４ｂとショルダー主溝６との連通部１４ｅにおけるショルダー側ミドルサイプ片１４ｂのタイヤ周方向に対する角度θ８は、好ましくは、３０〜６０°である。
【００８４】
図４に示されるように、本実施形態のクラウン側ミドルサイプ片１４ａは、クラウン主溝５側の深さＤ１０がショルダー主溝６側の深さＤ１１よりも小さい２段構造を有している。本実施形態のショルダー側ミドルサイプ片１４ｂも、同様の２段構造を有している。このようなクラウン側ミドルサイプ片１４ａ及びショルダー側ミドルサイプ片１４ｂは、それぞれの底部に変曲点を有することで、ミドル陸部８に作用する力を効率よく分散することができる。
【００８５】
図５に示されるように、連結ミドルサイプ片１４ｃは、クラウン側ミドルサイプ片１４ａのミドル陸部８内の終端点１４ｆとショルダー側ミドルサイプ片１４ｂのミドル陸部８内の終端点１４ｇとを連結するのが望ましい。
【００８６】
本実施形態の連結ミドルサイプ片１４ｃは、タイヤ周方向に沿って、直線状にのびている。連結ミドルサイプ片１４ｃのタイヤ周方向長さＬ７は、好ましくは、第１ミドルサイプ１４のタイヤ周方向ピッチＰ４の１０％〜４０％である。このような連結ミドルサイプ片１４ｃは、クラウン側ミドルサイプ片１４ａ及びショルダー側ミドルサイプ片１４ｂとは異なる方向のエッジ効果を発揮することができる。
【００８７】
図４に示されるように、本実施形態の連結ミドルサイプ片１４ｃの深さＤ１２は、クラウン側ミドルサイプ片１４ａのクラウン主溝５側の深さＤ１０より小さい。すなわち、連結ミドルサイプ片１４ｃは、クラウン側ミドルサイプ片１４ａ及びショルダー側ミドルサイプ片１４ｂよりも小さい深さＤ１２を有している。このような連結ミドルサイプ片１４ｃは、ミドル陸部８の剛性低下を抑制し、タイヤ１の操縦安定性能を向上させるとともに、そのエッジ効果により、タイヤ１の氷雪上性能を向上させ得る。
【００８８】
図５に示されるように、本実施形態のミドル陸部８は、さらに、第１ミドルラグ溝１３Ａとショルダー主溝６とを連通する第２ミドルサイプ１５Ａと、第２ミドルラグ溝１３Ｂとクラウン主溝５とを連通する第３ミドルサイプ１５Ｂとを有している。
【００８９】
第２ミドルサイプ１５Ａは、第１ミドルラグ溝１３Ａの延長線上の位置に配され、第１ミドルラグ溝１３Ａと略同一の曲率半径を有して円弧状にのびるのが望ましい。また、第３ミドルサイプ１５Ｂは、第２ミドルラグ溝１３Ｂの延長線上の位置に配され、第２ミドルラグ溝１３Ｂと略同一の曲率半径を有して円弧状にのびるのが望ましい。
【００９０】
図２に示されるように、本実施形態の第２ミドルサイプ１５Ａの深さＤ１３は、第１ミドルラグ溝１３Ａの溝深さＤ８より小さい。また、本実施形態の第３ミドルサイプ１５Ｂの深さＤ１４は、第２ミドルラグ溝１３Ｂの溝深さＤ９より小さい。このような第２ミドルサイプ１５Ａ及び第３ミドルサイプ１５Ｂは、ミドル陸部８の剛性低下を抑制し、タイヤ１の操縦安定性能を向上させるとともに、そのエッジ効果により、タイヤ１の氷雪上性能を向上させ得る。
【００９１】
図５に示されるように、本実施形態のミドル陸部８は、さらに、クラウン主溝５からタイヤ軸方向外側にのびる第４ミドルサイプ１６Ａと、ショルダー主溝６からタイヤ軸方向内側にのびる第５ミドルサイプ１６Ｂとを有している。
【００９２】
第４ミドルサイプ１６Ａ及び第５ミドルサイプ１６Ｂは、それぞれ、ミドル陸部８内で終端するのが望ましい。また、第４ミドルサイプ１６Ａ及び第５ミドルサイプ１６Ｂは、それぞれ、円弧状にのびており、一方側クラウンサイプ片１１ａ及び他方側クラウンサイプ片１１ｂと同じ向きに傾斜しているのが望ましい。
【００９３】
本実施形態の第４ミドルサイプ１６Ａとクラウン側ミドルサイプ片１４ａとは、その曲率半径、円弧の向き及びタイヤ周方向に対する傾斜角度が略等しい。同様に、第５ミドルサイプ１６Ｂとショルダー側ミドルサイプ片１４ｂとは、その曲率半径、円弧の向き及びタイヤ周方向に対する傾斜角度が略等しい。
【００９４】
一方、第４ミドルサイプ１６Ａ及び第５ミドルサイプ１６Ｂのタイヤ軸方向長さは、クラウン側ミドルサイプ片１４ａ及びショルダー側ミドルサイプ片１４ｂのタイヤ軸方向長さよりも小さいのが望ましい。また、第４ミドルサイプ１６Ａ及び第５ミドルサイプ１６Ｂの深さは、一定の深さを有しているのが望ましい。
【００９５】
タイヤ周方向において、本実施形態の第４ミドルサイプ１６Ａは、クラウン側ミドルサイプ片１４ａのショルダー側ミドルサイプ片１４ｂ側に位置している。同様に、本実施形態の第５ミドルサイプ１６Ｂは、ショルダー側ミドルサイプ片１４ｂのクラウン側ミドルサイプ片１４ａ側に位置している。このような第４ミドルサイプ１６Ａ及び第５ミドルサイプ１６Ｂは、ミドル陸部８の剛性低下を抑制しつつ、そのエッジ効果を発揮させることができる。
【００９６】
ミドル陸部８には、さらに、第１ミドルラグ溝１３Ａとクラウン側ミドルサイプ片１４ａとの間の陸部縁に第１面取部１７Ａが形成され、第２ミドルラグ溝１３Ｂとショルダー側ミドルサイプ片１４ｂとの間の陸部縁に第２面取部１７Ｂが形成されている。このような第１面取部１７Ａ及び第２面取部１７Ｂは、ミドル陸部８の剛性低下を抑制しつつ、雪柱せん断力を向上することができる。
【００９７】
図１に示されるように、一対のショルダー陸部９は、各ミドル陸部８のタイヤ軸方向外側に配されるのが望ましい。ショルダー陸部９のタイヤ軸方向の幅Ｗ５は、好ましくは、トレッド接地幅ＴＷの１５％〜２３％である。ショルダー陸部９の幅Ｗ５は、クラウン陸部７の幅Ｗ３及びミドル陸部８の幅Ｗ４よりも大きいのが望ましい。
【００９８】
本実施形態の各ショルダー陸部９は、ショルダー主溝６からトレッド端Ｔｅまで連通する複数のショルダー横溝１８を有している。このようなショルダー陸部９は、ショルダー横溝１８により、高い雪柱せん断力が得られ、タイヤ１の氷雪上性能を向上させ得る。
【００９９】
ショルダー横溝１８は、ショルダー主溝６を介して、第２ミドルラグ溝１３Ｂ又は第２ミドルサイプ１５Ａと対向しているのが望ましい。ショルダー横溝１８は、例えば、ショルダー主溝６を介して対抗する第２ミドルラグ溝１３Ｂ又は第２ミドルサイプ１５Ａとは異なる向きに凸となる円弧を有している。
【０１００】
ショルダー横溝１８のタイヤ周方向ピッチＰ５は、第１ミドルラグ溝１３Ａと第２ミドルラグ溝１３Ｂとの間のタイヤ周方向ピッチＰ６に略等しいのが望ましい。このようなショルダー横溝１８は、第１クラウンラグ溝１０Ａ又は第２クラウンラグ溝１０Ｂと協調して、より高い雪柱せん断力が得られ、タイヤ１の氷雪上性能を向上させ得る。
【０１０１】
図６は、ショルダー陸部９の部分拡大図である。図６に示されるように、本実施形態のショルダー横溝１８は、ショルダー主溝６側に円弧状にのびる第１ショルダー横溝部分１８ａと、トレッド端Ｔｅ側にタイヤ軸方向に沿って直線状にのびる第２ショルダー横溝部分１８ｂとを含んでいる。第１ショルダー横溝部分１８ａの曲率半径Ｒ９は、好ましくは、３０〜５０mmである。
【０１０２】
本実施形態の第１ショルダー横溝部分１８ａは、第１ミドルラグ溝１３Ａ及び第２ミドルラグ溝１３Ｂ（図１に示す）と同じ向きに傾斜している。ショルダー横溝１８とショルダー主溝６との連通部１８ｃにおける第１ショルダー横溝部分１８ａのタイヤ周方向に対する角度θ９は、好ましくは、４０〜７０°である。このような第１ショルダー横溝部分１８ａは、第１ミドルラグ溝１３Ａ及び第２ミドルラグ溝１３Ｂと協調して、トレッド部２に作用する力をより効率よく分散することができる。
【０１０３】
図２に示されるように、本実施形態のショルダー横溝１８は、ショルダー主溝６側の溝深さＤ１５がトレッド端Ｔｅ側の溝深さＤ１６よりも小さい２段構造を有している。このようなショルダー横溝１８は、その底部に変曲点を有することで、ショルダー陸部９に作用する力を効率よく分散することができる。
【０１０４】
図６に示されるように、本実施形態のショルダー陸部９は、さらに、タイヤ周方向で隣接するショルダー横溝１８の間に第１ショルダーサイプ１９Ａと第２ショルダーサイプ１９Ｂとを有している。
【０１０５】
第１ショルダーサイプ１９Ａ及び第２ショルダーサイプ１９Ｂは、それぞれ、ショルダー主溝６からタイヤ軸方向外側にのびるのが望ましい。また、第１ショルダーサイプ１９Ａ及び第２ショルダーサイプ１９Ｂは、それぞれ、ショルダー陸部９内で終端するのが望ましい。このような第１ショルダーサイプ１９Ａ及び第２ショルダーサイプ１９Ｂは、ショルダー陸部９の剛性低下を抑制し、タイヤ１の操縦安定性能を向上させるとともに、そのエッジ効果により、タイヤ１の氷雪上性能を向上させ得る。
【０１０６】
本実施形態の第１ショルダーサイプ１９Ａ及び第２ショルダーサイプ１９Ｂは、略同一の形状を有している。第１ショルダーサイプ１９Ａ及び第２ショルダーサイプ１９Ｂは、それぞれ、円弧状にのびており、第１ショルダー横溝部分１８ａと同じ向きに傾斜しているのが望ましい。本実施形態の第１ショルダーサイプ１９Ａ及び第２ショルダーサイプ１９Ｂと第１ショルダー横溝部分１８ａとは、その曲率半径、円弧の向き及びタイヤ周方向に対する傾斜角度が略等しい。
【０１０７】
図４に示されるように、第１ショルダーサイプ１９Ａは、ショルダー主溝６側の深さＤ１７がトレッド端Ｔｅ側の深さＤ１８よりも小さい２段構造を有している。本実施形態の第２ショルダーサイプ１９Ｂ（図示省略）も、同様の２段構造を有している。このような第１ショルダーサイプ１９Ａ及び第２ショルダーサイプ１９Ｂは、その底部に変曲点を有することで、ショルダー陸部９に作用する力を効率よく分散することができる。
【０１０８】
図６に示されるように、本実施形態のショルダー陸部９は、さらに、第１ショルダーサイプ１９Ａと第２ショルダーサイプ１９Ｂとを連通する第３ショルダーサイプ１９Ｃを有している。第３ショルダーサイプ１９Ｃは、第１ショルダーサイプ１９Ａの任意の位置と第２ショルダーサイプ１９Ｂの任意の位置とを連通するのが望ましい。
【０１０９】
第３ショルダーサイプ１９Ｃは、タイヤ周方向に沿って、直線状にのびるのが望ましい。このような第３ショルダーサイプ１９Ｃは、第１ショルダーサイプ１９Ａ及び第２ショルダーサイプ１９Ｂとは異なる方向のエッジ効果を発揮することができる。
【０１１０】
図４に示されるように、本実施形態の第３ショルダーサイプ１９Ｃの深さＤ１９は、第１ショルダーサイプ１９Ａのショルダー主溝６側の深さＤ１７より小さい。すなわち、第３ショルダーサイプ１９Ｃは、第１ショルダーサイプ１９Ａ及び第２ショルダーサイプ１９Ｂよりも小さい深さＤ１９を有している。このような第３ショルダーサイプ１９Ｃは、ショルダー陸部９の剛性低下を抑制し、タイヤ１の操縦安定性能を向上させるとともに、そのエッジ効果により、タイヤ１の氷雪上性能を向上させ得る。
【０１１１】
図６に示されるように、本実施形態のショルダー陸部９は、さらに、トレッド端Ｔｅからタイヤ軸方向内側にのびる第４ショルダーサイプ１９Ｄと第５ショルダーサイプ１９Ｅとを有している。
【０１１２】
第４ショルダーサイプ１９Ｄは、例えば、第１ショルダーサイプ１９Ａのタイヤ軸方向外側に位置し、タイヤ軸方向に沿って直線状にのびている。第５ショルダーサイプ１９Ｅは、例えば、第２ショルダーサイプ１９Ｂのタイヤ軸方向外側に位置し、タイヤ軸方向に沿って直線状にのびている。このような第４ショルダーサイプ１９Ｄ及び第５ショルダーサイプ１９Ｅは、第１ショルダーサイプ１９Ａ及び第２ショルダーサイプ１９Ｂと協調して、エッジ効果を発揮することができる。
【０１１３】
本実施形態のショルダー陸部９は、さらに、第１ショルダーサイプ１９Ａと第２ショルダーサイプ１９Ｂとの間の陸部縁に第３面取部２０が形成されている。このような第３面取部２０は、ショルダー陸部９の剛性低下を抑制しつつ、雪柱せん断力を向上することができる。
【０１１４】
以上、本発明の特に好ましい実施形態について詳述したが、本発明は、図示の実施形態に限定されることなく、種々の態様に変形して実施し得る。
【実施例】
【０１１５】
図１のトレッドパターンを有するタイヤが、表１の仕様に基づいて試作された。これら試作タイヤがテスト車両に装着され、氷雪上性能と操縦安定性能とがテストされた。各テストタイヤの共通仕様やテスト方法は、以下の通りである。
【０１１６】
使用車両：国産中型乗用車（前輪駆動車）
前輪タイヤサイズ：２１５／６０Ｒ１６
内圧：２４０ｋＰａ
【０１１７】
＜氷雪上性能＞
供試タイヤを装着したテスト車両で、氷雪路面のテストコースを走行し、その時の操縦安定性能が、テストドライバーの官能評価により評価された。結果は、比較例１を１００とする指数で表示され、数値が大きいほど操縦安定性能に優れることを示す。
【０１１８】
＜操縦安定性能＞
供試タイヤが装着されたテスト車両にて、ドライ路面のテストコースを走行し、その時の操縦安定性能が、テストドライバーの官能評価により評価された。結果は、比較例１を１００とする指数で表示され、数値が大きいほど操縦安定性能に優れることを示す。
【０１１９】
テストの結果が表１に示される。
【０１２０】
【表１】
2018090097.tif 000003
【０１２１】
テストの結果、実施例のタイヤは、比較例に対して、氷雪上性能と操縦安定性能とがバランスよく向上していることが確認できた。
【符号の説明】
【０１２２】
５    クラウン主溝
６    ショルダー主溝
８    ミドル陸部
１３Ａ  第１ミドルラグ溝
１３Ｂ  第２ミドルラグ溝
１４    第１ミドルサイプ
１４ａ  クラウン側ミドルサイプ片
１４ｂ  ショルダー側ミドルサイプ片
１４ｃ  連結ミドルサイプ片
【図１】
2018090097.tif 000004
【図２】
2018090097.tif 000005
【図３】
2018090097.tif 000006
【図４】
2018090097.tif 000007
【図５】
2018090097.tif 000008
【図６】
2018090097.tif 000009